(57)【要約】【課題】医用画像診断用画像表示装置において、医用画像の診断、特に胸部単純Ｘ線撮影画像等の医用画像の診断を効率的かつ良好にできるようにする。【解決手段】本発明に係る画像表示用装置１によれば、画像表示画面１３０の表示最大輝度は、１０００ｃｄ／ｍ２以上３００００ｃｄ／ｍ２以下であり、コントラスト比は３００：１以上であり、縦Ｌ１（ｍ）及び横Ｌ２（ｍ）は、０．０７＜Ｌ１×Ｌ２−（Ｌ１−Ｌ２）＾２、及びＬ１＾４＋Ｌ２＾４＜２０を満たすものであり、画素数は３００万画素以上であり、輝度分解能は、３００以上である。また、画像表示画面１３０の中に、前記表示最大輝度の０．０２倍以下の輝度の枠表示領域を設けて表示し、その枠表示領域は、医用画像データを分析して決定される。更に、入力部１２の操作により、ダイナミックレンジ圧縮処理された画像とされていない画像を切り替え可能である。【選択図】　図２
2004073225.tif 000002
【特許請求の範囲】
【請求項１】
表示用医用画像データが入力され、入力された表示用医用画像データが示す医用画像を画像表示画面に表示する医用画像診断用画像表示装置において、
前記画像表示画面の表示最大輝度が１０００ｃｄ／ｍ２以上であり、
コントラスト比が３００：１以上であり、
前記画像表示画面の縦Ｌ１（ｍ）及び横Ｌ２（ｍ）が、
０．０７＜Ｌ１×Ｌ２−（Ｌ１−Ｌ２）＾２
の式を満たすことを特徴とする医用画像診断用画像表示装置。
【請求項２】
前記画像表示画面の縦Ｌ１（ｍ）及び横Ｌ２（ｍ）が、
Ｌ１＾４＋Ｌ２＾４＜２０
の式を満たすことを特徴とする請求項１に記載の医用画像診断用画像表示装置。
【請求項３】
前記画像表示画面の表示最大輝度以下の輝度分解能が３００以上であることを特徴とする請求項１又は２に記載の医用画像診断用画像表示装置。
【請求項４】
前記画像表示画面の画素数が３００万画素以上であることを特徴とする請求項１〜３の何れか一項に記載の医用画像診断用画像表示装置。
【請求項５】
前記画像表示画面の表示最大輝度が３００００ｃｄ／ｍ２以下であることを特徴とする請求項１〜４の何れか一項に記載の医用画像診断用画像表示装置。
【請求項６】
請求項１〜５の何れか一項に記載の医用画像診断用画像表示装置を用いて、医用画像を表示する医用画像表示方法において、
医用画像のデータを記憶し、記憶された前記医用画像のデータを画像処理して、表示用医用画像データを得て、得られた前記表示用医用画像データを用いて、前記医用画像診断用画像表示装置に、医用画像を表示する医用画像表示方法。
【請求項７】
記憶された前記医用画像のデータから、当該医用画像の周囲に、前記医用画像診断用画像表示装置で、表示最大輝度の０．０２倍以下の輝度で表示されるデータの枠表示領域を設ける画像処理を施し、前記表示用医用画像データを得ることを特徴とする請求項６に記載の医用画像表示方法。
【請求項８】
記憶された前記医用画像のデータから分析して、前記枠表示領域の表示位置を決定し、
決定された前記表示位置に前記枠表示領域を設ける画像処理を施し、前記表示用医用画像データを得ることを特徴とする請求項７に記載の医用画像表示方法。
【請求項９】
操作に応じて、前記枠表示領域の領域を変更して、前記枠表示領域を設ける画像処理を施し、前記表示用医用画像データを得ることを特徴とする請求項７に記載の医用画像表示方法。
【請求項１０】
切り替え操作により、記憶された前記医用画像のデータからダイナミックレンジ圧縮処理された医用画像を表示することと、記憶された前記医用画像のデータから前記ダイナミックレンジ圧縮処理されていない医用画像を表示することとを切り替えて表示することを特徴とする請求項６〜９の何れか１項に記載の医用画像表示方法。
【請求項１１】
前記医用画像のデータが、胸部単純Ｘ線撮影により得られた医用画像のデータであることを特徴とする請求項６〜１０の何れか１項に記載の医用画像表示方法。
【発明の詳細な説明】
【０００１】
【発明の属する技術分野】
本発明は、医用画像診断用画像表示装置及び医用画像表示方法に関する。
【０００２】
【従来の技術】
近年、医用画像のデジタルデータ化が進み、デジタルデータ化された医用画像はＣＲＴディスプレイ装置等の画像表示装置に表示され、医師は画像表示装置に表示された画像を観察することによって診断を行っている。
【０００３】
【発明が解決しようとする課題】
ところで、例えば胸部単純Ｘ線撮影画像の診断には、低輝度の肺野と、高輝度の縦隔等の部位の両方を診断できることが、効率的かつ良好な診断に適切である。しかしながら、従来の画像表示装置では、一般的な診察室の環境下では、効率的かつ良好な診断が困難であった。
【０００４】
その原因は、室内光の画像表示画面での乱反射と、階調再現が充分でなかったことが考えられる。そこで、室内光の画像表示画面での乱反射を減らすため、室内照度を落とした読影室で画像表示装置に表示された医用画像を診断することが行われている。しかしながら、これでは通常の診察室とは別の読影室での診断が必須となり、比較的明るい診察室内から移動して読影室で画像診断を行う際には、診断医の眼が暗順応するまで待つ必要がある。この眼の暗順応は、個人差が大きいが、１０秒〜数分必要である。そのため、効率的かつ良好な診断が困難であった。
また、技術の進歩により、画像表示装置の高階調化・高精細化が可能になってきたが、高精細な画像の微妙な濃淡まで診断しにくい問題があった。これは、市販の医用画像表示装置の表示輝度が低いために、医用画像の高濃度領域では、輝度がかなり低くなるために、眼の微妙な濃淡や微細な濃淡に対する感応性が低いためであった。
【０００５】
本発明の課題は、医用画像の診断、特に胸部単純Ｘ線撮影画像等の医用画像の診断を効率的かつ良好にできる医用画像診断用画像表示装置を提供することである。
【０００６】
【課題を解決するための手段】
上記課題を解決するため、請求項１記載の発明は、
表示用医用画像データが入力され、入力された表示用医用画像データが示す医用画像を画像表示画面に表示する医用画像診断用画像表示装置において、
前記画像表示画面の表示最大輝度が１０００ｃｄ／ｍ２以上であり、
コントラスト比が３００：１以上であり、
前記画像表示画面の縦Ｌ１（ｍ）及び横Ｌ２（ｍ）が、
０．０７＜Ｌ１×Ｌ２−（Ｌ１−Ｌ２）＾２
の式を満たすことを特徴としている。
【０００７】
請求項２記載の発明は、請求項１に記載の発明において、
前記画像表示画面の縦Ｌ１（ｍ）及び横Ｌ２（ｍ）が、
Ｌ１＾４＋Ｌ２＾４＜２０
の式を満たすことを特徴としている。
【０００８】
請求項３記載の発明は、請求項１又は２に記載の発明において、
前記画像表示画面の表示最大輝度以下の輝度分解能が３００以上であることを特徴としている。
【０００９】
請求項４記載の発明は、請求項１〜３の何れか一項に記載の発明において、
前記画像表示画面の画素数が３００万画素以上であることを特徴としている。
【００１０】
請求項５記載の発明は、請求項１〜４の何れか一項に記載の発明において、
前記画像表示画面の表示最大輝度が３００００ｃｄ／ｍ２以下であることを特徴としている。
【００１１】
請求項６記載の発明は、
請求項１〜５の何れか一項に記載の医用画像診断用画像表示装置を用いて、医用画像を表示する医用画像表示方法において、
医用画像のデータを記憶し、記憶された前記医用画像のデータを画像処理して、表示用医用画像データを得て、得られた前記表示用医用画像データを用いて、前記医用画像診断用画像表示装置に、医用画像を表示することを特徴としている。
【００１２】
請求項７記載の発明は、請求項６に記載の発明において、
記憶された前記医用画像のデータから、当該医用画像の周囲に、前記医用画像診断用画像表示装置で、表示最大輝度の０．０２倍以下の輝度で表示されるデータの枠表示領域を設ける画像処理を施し、前記表示用医用画像データを得ることを特徴としている。
【００１３】
請求項８記載の発明は、請求項７に記載の発明において、
記憶された前記医用画像のデータから分析して、前記枠表示領域の表示位置を決定し、
決定された前記表示位置に前記枠表示領域を設ける画像処理を施し、前記表示用医用画像データを得ることを特徴としている。
【００１４】
請求項９記載の発明は、請求項７に記載の発明において、
操作に応じて、前記枠表示領域の領域を変更して、前記枠表示領域を設ける画像処理を施し、前記表示用医用画像データを得ることを特徴としている。
【００１５】
請求項１０記載の発明は、請求項６〜９の何れか一項に記載の発明において、
切り替え操作により、記憶された前記医用画像のデータからダイナミックレンジ圧縮処理された医用画像を表示することと、記憶された前記医用画像のデータから前記ダイナミックレンジ圧縮処理されていない医用画像を表示することとを切り替えて表示することを特徴としている。
【００１６】
請求項１１記載の発明は、請求項６〜１０の何れか一項に記載の発明において、
前記医用画像のデータが、胸部単純Ｘ線撮影により得られた医用画像のデータであることを特徴としている。
【００１７】
【発明の実施の形態】
以下、図を参照して本発明の実施の形態を詳細に説明する。
図１は、Ｘ線画像による診断の流れを模式的に示す図である。図１に示すように、例えば、ＣＲ（Ｃｏｍｐｕｔｅｄ　Ｒａｄｉｏｇｒａｐｈｙ）装置等の医用画像読取装置３は、例えば、ＣＲでは輝尽性蛍光体プレートを励起光で励起された発光を受光して光電変換して、Ｘ線撮影された被写体の医用画像のデータを得て、医用画像処理装置２へ出力する。医用画像処理装置２は、医用画像読取装置３から入力された医用画像データを、階調処理、周波数処理、ダイナミックレンジ圧縮処理、マルチ周波数処理等の画像処理を施し、画像表示用装置１へ出力する。そして、医用画像処理装置２から入力された表示用医用画像データを用いて、画像表示用装置１は、医用画像を表示する。この画像表示用装置１により表示された医用画像は、医師により読影され、診断に利用される。
【００１８】
図２は、本発明に係る画像表示用装置１の外観図である。図１に示すように、画像表示用装置１は、その前面の画像表示画面１３０に、医用画像処理装置２から入力された医用画像データを表示する。画像表示用装置１は、ＣＲＴ（Ｃａｔｈｏｄｅ　Ｒａｙ　Ｔｕｂｅ）ディスプレイ装置とするが、液晶ディスプレイ装置、プラズマディスプレイ装置、エレクトロルミネセンスディスプレイ装置等の何れであってもよい。
【００１９】
図３は、画像表示用装置１の機能的構成を示すブロック図である。図３に示すように、画像表示用装置１は、ＣＰＵ１１、入力部１２、画像表示装置１３、記憶部１４、Ｉ／Ｆ１５等により構成され、各部はバス１６により接続されている。
【００２０】
ＣＰＵ（Ｃｅｎｔｒａｌ　Ｐｒｏｃｅｓｓｉｎｇ　Ｕｎｉｔ）１１は、記憶部１４に記憶されている各種制御プログラムを読み出して、読み出したプログラムに従って画像表示用装置１の各部の動作を集中制御する。また、入力された医用画像データを記憶部１４に記憶させ、記憶部１４に記憶された医用画像データを読み出す。また、枠表示処理や階調処理等の各種処理を行う。また、入力部１２からの指示信号に従い表示切り替え処理を行う。また、これらの各種処理を施された医用画像データを記憶部１４に記憶させる。
【００２１】
入力部１２は、電源ボタン、表示切り替えボタン、枠表示ボタン等により構成され、押下操作されたボタンに対応する押下信号をＣＰＵ１１に出力する。また、入力部１２は、例えば、カーソルキー、数字入力キー、及び各種機能キーを備えたキーボードや、マウス等のポインティングデバイス、その他の入力装置であってもよい。この入力部１２は、本発明の切り替え操作を入力するものである。
【００２２】
画像表示装置１３は、ＣＰＵ１１から入力される、表示用医用画像データを用いて、画像表示画面１３０上に、医用画像等の表示を行う。
【００２３】
記憶部１４は、不揮発性の半導体メモリにより構成され、画像表示用装置１に対応する制御プログラムや制御に必要な各種データや各種の医用画像データ等を記憶する。
【００２４】
Ｉ／Ｆ１５は、医用画像処理装置２と接続するためのインターフェースであり、医用画像処理装置２から医用画像データを取得し、ＣＰＵ１１からの指示に応じて、入力された医用画像データを記憶部１４に記憶させる。
【００２５】
次に、画像表示装置１３について詳細に説明する。
画像表示装置１３の画像表示画面１３０の表示最大輝度は、１０００ｃｄ／ｍ２以上である。これにより、画像表示画面１３０の表示最大輝度が高輝度であるので、暗い領域の輝度も高くでき、眼による濃淡の識別性が高くなる。また、通常の診察室の室内において、室内光の画像表示画面１３０における乱反射の影響を抑え、乱反射による暗い領域の読影のしにくさが軽減される。なお、画像表示画面１３０の表示最大輝度は、１５００ｃｄ／ｍ２以上であることが好ましく、更に２０００ｃｄ／ｍ２以上であることが好ましい。
表示最大輝度とは、画像表示画面１３０が医用画像データに基づき表示できる最大の輝度のことである。表示最大輝度は、画像表示用装置１に入力される医用画像データに含まれる輝度信号をどこまで再現できるかという画像の再現性にかかわるものである。画像表示画面の輝度の測定は、暗室下で行う。
また、画像表示装置１３の画像表示画面１３０の表示最大輝度は、３００００ｃｄ／ｍ２以下であり、まぶしすぎるがための診断効率の低下や悪化の恐れがない。なお、画像表示画面１３０の表示最大輝度は、１００００ｃｄ／ｍ２以下であることが好ましく、更に７０００ｃｄ／ｍ２以下であることが好ましい。
【００２６】
画像表示画面１３０のコントラスト比は３００：１以上であり、従来の医用画像表示装置と比較してコントラスト比が大きい。コントラスト比とは、画像表示画面１３０の全白表示に対する全黒表示の輝度の比である。コントラスト比が大きいと、医用画像、特に胸部単純Ｘ線撮影画像のように、低輝度と高輝度の両方の部位を含む画像を診断する場合であっても良好な診断を行うことができる。なお、画像表示画面１０のコントラスト比は、５００：１以上であることが好ましく、７００：１であることが更に好ましい。また、１００００：１を越えるコントラスト比は改善効果が実質的にないので、１００００：１以下であることが好ましい。
【００２７】
画像表示画面１３０の縦Ｌ１（ｍ）及び横Ｌ２（ｍ）は、下記の式▲１▼を満たすものである。
式▲１▼　　　０．０７＜Ｌ１×Ｌ２−（Ｌ１−Ｌ２）＾２
画像表示画面の大きさや形状によっては、画面に近づいて診断しない限り、明るい診察室の環境が視界に入り、眼の明暗対比効果による診断する医用画像（診断画像）の一様黒色感が生じる。画面に近接して診断すると、眼が疲労しやすく、また、無理な態勢を強いられることになるので、長時間の診断を行うと、診断の効率と良好さを損なうことになる。上述した式▲１▼を満たす縦Ｌ１×横Ｌ２の画像表示画面１３０によれば、ある程度の大きさと、正方形に近い形状を備えたものであるので、明るい診察室の環境が視界に入りにくなり、医師の眼の疲労が軽減され、また、無理のない姿勢で診断することができる。その結果、診断を効率的かつ良好に行うことができる。更に、画像表示画面１３０の縦Ｌ１（ｍ）及び横Ｌ２（ｍ）は、下記の式▲１▼−１を満たすことが好ましい。
式▲１▼−１　０．１０＜Ｌ１×Ｌ２−（Ｌ１−Ｌ２）＾２
【００２８】
また、画像表示画面１３０の縦Ｌ１（ｍ）及びＬ２（ｍ）は、下記の式▲２▼をも満たすものである。
式▲２▼　　　Ｌ１＾４＋Ｌ２＾４＜２０
この式▲２▼を満たす画像表示画面１３０は、医師が画面から離れて診断しなくても、表示された医用画像全体を見渡すことが容易であり、適切な距離で診断を行うことができるので、診断を効率的かつ良好に行うことができる。更に、Ｌ１及びＬ２は、下記の式▲２▼−１を満たすものであると、より適切な距離で診断を行うことができる。
式▲２▼−１　Ｌ１＾４＋Ｌ２＾４＜１
【００２９】
画像表示画面１３０の表示最大輝度以下の輝度分解能は、３００以上である。これにより、医用画像がより細かく階調表現されるので、さらに診断を効率的かつ良好に行うことができる。更に４００以上であることが好ましく、特に６００以上であることが好ましい。
また、表示最大輝度と表示最大輝度の０．１倍の輝度との間の輝度分解能が２００以上、特に３００以上であることが好ましい。更に、表示最大輝度の０．１倍の輝度と表示最大輝度の０．０１倍の輝度との間の輝度分解能が２００以上、特に３００以上であると、医用画像の診断をより効率的且つ良好に行うことができ、好ましい。
【００３０】
また、画像表示画面１３０の画素数が３００万画素以上である。これにより、医用画像をより精細に表示することができる。また、５００万画素以上であることが好ましく、更に７００万画素以上であることが好ましい。
【００３１】
また、画像表示用装置１は、更に効率的な診断を可能とするために、後述の枠表示処理と、入力部１２の入力操作に基づく後述の表示切り替え処理を行う。
【００３２】
まず、枠表示処理について説明する。ＣＰＵ１１は、入力された医用画像データを記憶部１４に記憶し、記憶された医用画像データの輝度信号を分析して枠表示領域の表示位置を決定する。このような例としては、以下のものが挙げられるが、これらに限られない。
【００３３】
第一の例において、ＣＰＵ１１は、単純に医用画像データの画素サイズと画像表示装置１３の画像表示画面１３０の画素サイズを比較して、画像表示装置１３の画像表示画面１３０の方が、画素サイズが大きい場合、医用画像を画像表示画面１３０の中央部に配置し、その周辺を枠表示領域の表示位置として決定する。第二の例において、ＣＰＵ１１は、医用画像データを分析して、周辺に診断に関係の無い領域がある場合、その周辺の診断に関係の無い領域を枠表示領域の表示位置として決定する。
第三の例において、ＣＰＵ１１は、医用画像データを分析して、特に注目して診断したい領域以外を覆うように枠表示領域の表示位置を決定する。例えば、胸部単純Ｘ線撮影画像の場合、ＣＰＵ１１は、肺野部を認識し、この認識した肺野部以外を覆うように、枠表示領域の表示位置を決定する。このような場合、入力部１２の入力操作に基づいて、このような枠表示領域を設けるか否か選択できるようにすることが好ましい。
【００３４】
そして、ＣＰＵ１１は、決定した表示位置に設けた枠表示領域のデータ値を、画像表示画面１３０に表示される枠表示領域の輝度が、画像表示画面１３０の表示最大輝度の０．０２倍以下（本実施の形態では、表示最大輝度の０．００５倍以下）の輝度で表示されるデータ値にする処理をし、表示用医用画像データを得る。そして、ＣＰＵ１１は、画像表示画面１３０に、表示最大輝度の０．０２倍以下（本実施の形態では、表示最大輝度の０．００５倍以下）の輝度で表示される枠表示領域を表示させる。
【００３５】
なお、枠表示領域の輝度を、入力部１２の操作によりユーザが設定することができるようにしてもよい。この場合、枠表示領域の輝度として、表示最大輝度の０．０２倍以下の輝度となるデータ値を上限として、設定することができるようにするとよい。
【００３６】
図４は、胸部単純Ｘ線画像を画像表示画面１３０に表示した際の一例を示す図である。また、図５は、前述の第三の例で枠表示処理を行って胸部単純Ｘ線画像を表示した表示の一例を示す図である。図５に示すように、この枠表示処理を行うことにより、画像表示画面１３０の中に、表示最大輝度の０．０２倍以下（本実施の形態では、表示最大輝度の０．００５倍以下）の輝度の枠１３０ａが表示される。このような枠１３０ａにより、診断画像の周囲の輝度が高い場合のように、眼の明暗対比効果による診断画像の暗部の一様黒色感がなくなるので、医用画像の診断をより良好に行うことができる。特に、胸部単純Ｘ線撮影画像の肺野のように、周囲に輝度の高い領域が形成された画像を診断するときには有効である。
【００３７】
そして、入力部１２の入力操作によって、この枠１３０ａを解除して、例えば、肺野部の周囲などの特に注目する領域以外の領域も診断に用いることができるので、更に、医用画像の診断を良好かつ効率的にできる。
【００３８】
また、ＣＰＵ１１は、入力部１２の操作入力に応じて、枠表示領域の位置や大きさを指定することができる。枠表示領域は、例えば、通常表示領域の周囲全てであり、枠表示領域の位置・大きさは、この通常表示領域の位置・大きさで示すことができる。そして、入力部１２の操作入力により、画像表示画面１３０上の位置や大きさが指定されると、ＣＰＵ１１は、この指定された位置や大きさに対応して枠表示領域の表示位置や大きさを決定し、画像表示装置１３に、医用画像と共に、前記決定した表示位置に枠表示領域を表示させる。
【００３９】
図６は、このような入力部１２の操作入力に応じた枠表示処理を行って胸部単純Ｘ線画像を表示した表示の一例を示す図である。図６に示すように、画像表示画面１３０に表示される医用画像上の指定された位置に、表示最大輝度の０．０２倍以下（本実施の形態では、表示最大輝度の０．００５倍以下）の輝度の枠１３０ｂが表示される。この枠１３０ｂにより、例えば、肺野部の細かい画像を診断する際に、高輝度の縦隔部を枠表示領域とすることで、眼の明暗対比効果による一様黒色感を避けることができ、暗部の微妙な濃淡の変化を視認して、医用画像、特に胸部単純Ｘ線画像の診断を効率的に行うことができる。
【００４０】
次に、表示切り替え処理について説明する。
ＣＰＵ１１は、入力部１２の表示切り替えボタンが押下されると、ダイナミックレンジ圧縮処理した画像としていない画像とを切り替えて画像表示装置１３に表示させる。即ち、ＣＰＵ１１は、医用画像を表示する際には、医用画像処理装置２からダイナミックレンジ圧縮処理された医用画像データとされていない医用画像データの双方を受信して記憶部１４に記憶し、入力部１２の表示切り替えボタンが押下される度に、ダイナミックレンジ圧縮処理された医用画像とされていない医用画像を切り替えて画像表示装置１３に表示させる。
【００４１】
表示切り替え処理により、ダイナミックレンジ圧縮処理された医用画像を表示することで、ダイナミックレンジの広い医用画像でも画像全体を診やすい濃度範囲に収めることができるので、多くの部位の診断が簡易にできるようになる。例えば、胸部単純Ｘ線画像においては、肺野部と縦隔部の双方を効率良く診断することができる。また、ダイナミックレンジ圧縮処理をしていない医用画像を表示することで、再現性能の高い医用画像で良好な診断を行うことができる。例えば、胸部単純Ｘ線画像においては、肺野部の左右の全体的な濃さの違いや骨の全体的な濃さの違いが圧縮されずに再現されるので、肺野部のより良好な診断を行うことができる。
【００４２】
以上説明した様に、画像表示用装置１によれば、通常の診察室における室内光の乱反射の影響が軽減され、眼の明暗対比効果による一様黒色感も軽減でき、通常の診察室内においても画像表示画面１３０と適正な距離を保ちつつ診断を行うことができる。また、画像の再現性能も高く、医用画像の効率的かつ良好な診断を行うことができる。
【００４３】
なお、画像表示装置１３は、本実施の形態の装置で下記の構成とすることにより、胸部単純Ｘ線画像の診断を効率的かつ良好に行うために、非常に好ましく医用画像を表示できることがシミュレートできた。
画像表示画面１３０の表示最大輝度が１５００ｃｄ／ｍ２であり、
コントラスト比が７００：１であり、
画像表示画面１３０の縦Ｌ１（ｍ）＝０．４及び横Ｌ２（ｍ）＝０．３であり（この時、Ｌ１×Ｌ２−（Ｌ１−Ｌ２）＾２＝０．１１、Ｌ１＾４＋Ｌ２＾４＜１）、
画像表示画面１３０の表示最大輝度以下の輝度分解能が９００であり、
画像表示画面１３０の画素数が１２００万画素であり、
画像表示画面１３０の中に、前記表示最大輝度の０．００５倍以下の輝度の枠表示領域を設けて表示する。
【００４４】
なお、本実施の形態は、胸部単純Ｘ線撮影画像を表示する場合を例にとり説明しているが、これに限定されず、医用画像診断用に広く利用することができる。
その他、画像表示装置１３の構成及び動作、並びに、方法に関しても、本発明の趣旨を逸脱することのない範囲で適宜変更可能である。
【００４５】
【発明の効果】
請求項１記載の発明によって、診察室の室内光の画像表示画面での乱反射の影響が軽減され、更に、画面に近接しなくても、明るい診察室の環境が視界に入りにくく、眼の明暗対比効果による診断画像の一様黒色感が生じないので、長時間の診断でも眼が疲労しにくく、医用画像の診断を効率的かつ良好にできる。
【００４６】
請求項２記載の発明によって、画面から離れて診断しなくても、表示された医用画像全体を見渡すことが容易であるので、適切な距離で、医用画像の診断を効率的かつ良好に行うことができる。
【００４７】
請求項３記載の発明によって、医用画像がより細かく階調表現されるので、医用画像の診断を更に効率的かつ良好にできる。
【００４８】
請求項４記載の発明によって、医用画像をより精細に表示できるので、医用画像の診断をより良好かつ効率的な診断を行うことができる。
【００４９】
請求項５記載の発明によって、まぶしいがための診断効率の低下や悪化のおそれがなく、長時間の診断でも眼が疲労しにくく、医用画像の診断をより効率的かつ良好にできる。
【００５０】
請求項６に記載の発明によって、医用画像の診断をより効率的かつ良好にできる。
【００５１】
請求項７記載の発明によって、診断する画像の周囲の輝度が高い場合のように、眼の明暗対比効果による診断画像の暗部の一様黒色感が無く、医用画像の診断を効率的かつ良好にできる。
【００５２】
請求項８記載の発明によって、各医用画像に応じた枠表示領域を決定するので、医用画像の診断をより効率的かつ良好に行うことができる。
【００５３】
請求項９記載の発明によって、特に注目して診断したい領域の周囲の輝度が高い場合のように、眼の明暗対比効果による診断画像の暗部の一様黒色感が無く、医用画像の診断をより効率的かつ良好にできる。
【００５４】
請求項１０記載の発明によって、多くの項目の診断が簡易にできるとともに、高い再現性で医用画像を表示することもできるので、医用画像の診断をより効率的にかつ良好に行うことができる。
【００５５】
請求項１１記載の発明によって、胸部単純Ｘ線撮影による医用画像の診断をより効率的かつ良好にできる。
【図面の簡単な説明】
【図１】Ｘ線画像による診断の流れを模式的に示す図である。
【図２】本発明に係る画像表示用装置１の外観図である。
【図３】図２の画像表示用装置１の機能的構成を示すブロック図である。
【図４】胸部単純Ｘ線撮影画像を表示した画像表示画面１３０の一例を示す図である。
【図５】図２のＣＰＵ１１により枠表示処理を行って胸部単純Ｘ線撮影画像を表示した画像表示画面１３０の一例を示す図である。
【図６】図２のＣＰＵ１１により入力部１２の操作入力に応じた枠表示処理を行って胸部単純Ｘ線撮影画像を表示した画像表示画面１３０の一例を示す図である。
【符号の説明】
１　　画像表示用装置
２　　医用画像処理装置
３　　医用画像読取装置
１１　　ＣＰＵ
１２　　入力部
１３　　画像表示装置
１４　　記憶部
１５　　Ｉ／Ｆ
【図１】
2004073225.tif 000003
【図２】
2004073225.tif 000004
【図３】
2004073225.tif 000005
【図４】
2004073225.tif 000006
【図５】
2004073225.tif 000007
【図６】
2004073225.tif 000008